(57)【要約】【課題】営巣構造物の使用性及び施工性を向上させることが可能となる、営巣構造物、及び営巣構造物の施工方法を提供すること。【解決手段】営巣構造物１は、設置面２に設けられた営巣構造物であり、野鳥が営巣することを可能にするための営巣構造物であって、設置面２に立設された擬岩壁１０と、擬岩壁１０の背面に設けられた支持部であって、擬岩壁１０を設置面２に対して支持するための支持部と、支持部に設けられた第１巣箱及び第２巣箱であって、第１巣箱及び第２巣箱の一部が擬岩壁１０に形成された第１挿通孔１４及び第２挿通孔１５に挿通されるようにそれぞれ配置された第１巣箱及び第２巣箱と、を備え、第１巣箱及び第２巣箱の各々の少なくとも一部が支持部に対して着脱自在となるように、第１巣箱、第２巣箱、及び支持部を構成した。【選択図】図１
2019180248.tif 000002
【特許請求の範囲】
【請求項１】
設置面に設けられた営巣構造物であり、野鳥が営巣することを可能にするための営巣構造物であって、
前記設置面に立設された擬岩壁と、
前記擬岩壁の背面に設けられた支持部であって、前記擬岩壁を前記設置面に対して支持するための支持部と、
前記支持部に設けられた巣箱であって、当該巣箱の一部が擬岩壁に形成された挿通孔に挿通されるように配置された巣箱と、を備え、
前記巣箱の少なくとも一部が前記支持部に対して着脱自在となるように、前記巣箱及び前記支持部を構成した、
営巣構造物。
【請求項２】
前記巣箱の内部に設けられた敷材であって、前記巣箱の内面の下方部分を略覆うように配置された敷材を備えた、
請求項１に記載の営巣構造物。
【請求項３】
前記擬岩壁に前記挿通孔を複数形成し、
前記複数の挿通孔の各々から他の前記挿通孔が見えないように、前記複数の挿通孔及び前記擬岩壁を構成した、
請求項１又は２に記載の営巣構造物。
【請求項４】
前記巣箱に形成された撮像開口部であって、前記巣箱の外部に設けられた撮像手段にて当該撮像開口部を介して前記巣箱の内部を撮像可能にするための撮像開口部を備えた、
請求項１から３のいずれか一項に記載の営巣構造物。
【請求項５】
前記巣箱の少なくとも一部に、自然土を充填した、
請求項１から４のいずれか一項に記載の営巣構造物。
【請求項６】
前記巣箱の周囲を覆うように設けられた断熱材を備えた、
請求項１から５のいずれか一項に記載の営巣構造物。
【請求項７】
前記支持部及び前記巣箱の周囲を覆うためのカバー部と、
前記カバー部に形成された通気孔であって、当該通気孔を介して前記カバー部の内外の通気を可能にする通気孔と、を備えた、
請求項１から６のいずれか一項に記載の営巣構造物。
【請求項８】
野鳥が営巣することを可能にするための営巣構造物を施工する施工方法であって、
支持部を、設置面に設置する第１設置工程と、
擬岩壁を、前記設置面に立設すると共に、前記支持部によって当該擬岩壁が支持されるように前記支持部の側方に設置する第２設置工程と、
巣箱を、前記支持部に対して着脱自在に設置し、且つ当該巣箱の一部が前記擬岩壁に形成された挿通孔に挿通されるように設置する第３設置工程と、
を含む、営巣構造物の施工方法。
【発明の詳細な説明】
【技術分野】
【０００１】
本発明は、営巣構造物、及び営巣構造物の施工方法に関する。
【背景技術】
【０００２】
従来から、野鳥に対して営巣しやすい環境を提供するための技術が提案されている。この技術においては、河川の崖部に設置されたコンクリート製の営巣用ブロックであって、貫通孔を有する壁部と、壁部を支持するための底盤部であって、壁部と一体形成された底盤部とを有する営巣用ブロックが構成されている（例えば、特許文献１参照）。このような構成により、貫通孔の中に入った野鳥が崖部の土砂を掘ることで巣穴及び産室を形成することでき、野鳥に対して営巣しやすい環境を提供できる。
【先行技術文献】
【特許文献】
【０００３】
【特許文献１】特開平４−３３１２５０号公報
【発明の概要】
【発明が解決しようとする課題】
【０００４】
しかしながら、上記従来の技術においては、上述したように、巣穴及び産室が崖部に形成されるので、例えば野鳥によって汚された巣穴及び産室を清掃することが難しいことから、野鳥に対して営巣しやすい環境を繰り返し提供することが困難になるおそれがあった。また、上述したように、壁部及び底盤部が一体形成されているので、営巣用ブロックの施工時において壁部及び底盤部が比較的取り扱いづらくなることから、営巣用ブロックの施工性を低下させるおそれがあった。したがって、営巣用ブロックの如き営巣構造物の使用性及び施工性の観点からは改善の余地があった。
【０００５】
本発明は、上記に鑑みてなされたものであって、営巣構造物の使用性及び施工性を向上させることが可能となる、営巣構造物、及び営巣構造物の施工方法を提供することを目的とする。
【課題を解決するための手段】
【０００６】
上述した課題を解決し、目的を達成するために、請求項１に記載の営巣構造物は、設置面に設けられた営巣構造物であり、野鳥が営巣することを可能にするための営巣構造物であって、前記設置面に立設された擬岩壁と、前記擬岩壁の背面に設けられた支持部であって、前記擬岩壁を前記設置面に対して支持するための支持部と、前記支持部に設けられた巣箱であって、当該巣箱の一部が擬岩壁に形成された挿通孔に挿通されるように配置された巣箱と、を備え、前記巣箱の少なくとも一部が前記支持部に対して着脱自在となるように、前記巣箱及び前記支持部を構成した。
【０００７】
請求項２に記載の営巣構造物は、請求項１に記載の営巣構造物において、前記巣箱の内部に設けられた敷材であって、前記巣箱の内面の下方部分を略覆うように配置された敷材を備えた。
【０００８】
請求項３に記載の営巣構造物は、請求項１又は２に記載の営巣構造物において、前記擬岩壁に前記挿通孔を複数形成し、前記複数の挿通孔の各々から他の前記挿通孔が見えないように、前記複数の挿通孔及び前記擬岩壁を構成した。
【０００９】
請求項４に記載の営巣構造物は、請求項１から３のいずれか一項に記載の営巣構造物において、前記巣箱に形成された撮像開口部であって、前記巣箱の外部に設けられた撮像手段にて当該撮像開口部を介して前記巣箱の内部を撮像可能にするための撮像開口部を備えた。
【００１０】
請求項５に記載の営巣構造物は、請求項１から４のいずれか一項に記載の営巣構造物において、前記巣箱の少なくとも一部に、自然土を充填した。
【００１１】
請求項６に記載の営巣構造物は、請求項１から５のいずれか一項に記載の営巣構造物において、前記巣箱の周囲を覆うように設けられた断熱材を備えた。
【００１２】
請求項７に記載の営巣構造物は、請求項１から６のいずれか一項に記載の営巣構造物において、前記支持部及び前記巣箱の周囲を覆うためのカバー部と、前記カバー部に形成された通気孔であって、当該通気孔を介して前記カバー部の内外の通気を可能にする通気孔と、を備えた。
【００１３】
請求項８に記載の営巣構造物の施工方法は、野鳥が営巣することを可能にするための営巣構造物を施工する施工方法であって、支持部を、設置面に設置する第１設置工程と、擬岩壁を、前記設置面に立設すると共に、前記支持部によって当該擬岩壁が支持されるように前記支持部の側方に設置する第２設置工程と、巣箱を、前記支持部に対して着脱自在に設置し、且つ当該巣箱の一部が前記擬岩壁に形成された挿通孔に挿通されるように設置する第３設置工程と、を含む。
【発明の効果】
【００１４】
請求項１に記載の営巣構造物によれば、擬岩壁の背面に設けられた支持部であって、擬岩壁を設置面に対して支持するための支持部と、支持部に設けられた巣箱であって、当該巣箱の一部が擬岩壁に形成された挿通孔に挿通されるように配置された巣箱と、を備え、巣箱の少なくとも一部が支持部に対して着脱自在となるように、巣箱及び支持部を構成したので、巣箱を容易に交換することができる。よって、定期的に巣箱を交換することで、野鳥に対して営巣しやすい営巣環境を繰り返し提供することができ、従来技術（底盤部と一体形成した壁部を河川の崖部に設置する技術）に比べて、営巣構造物の使用性を向上できる。また、支持部及び擬岩壁を別体に構成でき、施工時における支持部及び擬岩壁の取り扱いが容易となる。よって、従来技術に比べて、営巣構造物の施工性を向上できる。
【００１５】
請求項２に記載の営巣構造物によれば、巣箱の内部に設けられた敷材であって、巣箱の内面の下方部分を略覆うように配置された敷材を備えたので、自然に近い営巣環境を形成することができ、野鳥に対して営巣しやすい営巣環境を一層提供できる。
【００１６】
請求項３に記載の営巣構造物によれば、複数の挿通孔の各々から他の挿通孔が見えないように、複数の挿通孔及び擬岩壁を構成したので、挿通孔毎に隔離した営巣環境を形成でき、なわばりをもつ野鳥に対して営巣しやすい営巣環境を提供できる。
【００１７】
請求項４に記載の営巣構造物によれば、巣箱に形成された撮像開口部を備えたので、撮像手段にて撮像開口部を介して巣箱の内部を撮像でき、野鳥の営巣状況を詳細に観察することが可能となる。
【００１８】
請求項５に記載の営巣構造物によれば、巣箱の少なくとも一部に自然土を充填したので、自然土を掘ることで営巣することが必要となる営巣環境を形成でき、土に巣穴を掘る習性を有する野鳥（例えば、カワセミ等）に対して営巣しやすい営巣環境を提供できる。
【００１９】
請求項６に記載の営巣構造物によれば、巣箱の周囲を覆うように設けられた断熱材を備えたので、当該断熱材によって外部からの熱を遮断でき、当該熱によって巣箱の内部温度が変動することを抑制できる。
【００２０】
請求項７に記載の営巣構造物によれば、カバー部に形成された通気孔を備えたので、カバー部の内外の通気を行うことができ、例えば夏場において営巣構造物の内部の温度が上昇することを抑制できる。
【００２１】
請求項８に記載の営巣構造物の施工方法によれば、支持部を、設置面に設置する第１設置工程と、擬岩壁を、設置面に立設すると共に、支持部によって当該擬岩壁が支持されるように支持部の側方に設置する第２設置工程と、巣箱を、支持部に対して着脱自在に設置し、且つ当該巣箱の一部が擬岩壁に形成された挿通孔に挿通されるように設置する第３設置工程と、を含むので、巣箱を容易に交換することができる。よって、定期的に巣箱を交換することで、野鳥に対して営巣しやすい営巣環境を繰り返し提供することができ、従来技術に比べて、営巣構造物の使用性を向上できる。また、支持部及び擬岩壁を別体に構成でき、施工時における支持部及び擬岩壁の取り扱いが容易となる。よって、従来技術に比べて、営巣構造物の施工性を向上できる。
【図面の簡単な説明】
【００２２】
【図１】本発明の実施の形態に係る営巣構造物を概念的に示す正面図である。
【図２】図１の営巣構造物を後方から見た斜視図である。
【図３】支持部、第１巣箱、及び第２巣箱を示す図であり、（ａ）は正面図、（ｂ）は平面図、（ｃ）は右側面図である。
【図４】第１巣箱を示す図である。
【図５】図４のＡ−Ａ矢視断面図である。
【図６】第１巣箱の変形例を示す図である。
【図７】営巣構造物の変形例を示す図であって、図２に対応する領域を示す図である。
【図８】営巣構造物の変形例を示す図であって、図３（ｂ）に対応する領域を示す図である。
【発明を実施するための形態】
【００２３】
以下に添付図面を参照して、この発明に係る営巣構造物、及び営巣構造物の施工方法の実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２４】
〔Ｉ〕実施の形態の基本的概念
まず、実施の形態の基本的概念について説明する。実施の形態は、概略的に、設置面に設けられた営巣構造物であり、野鳥が営巣することを可能にするための営巣構造物に関する。ここで、「設置面」とは、営巣構造物が設置される面を意味し、例えば、河川、池、沼、海等の水辺付近の平地の地面、山地の地面等を含む概念である。また、「野鳥」とは、野生の鳥を意味し、例えば、カワセミの如き土に巣穴を掘る習性を有する鳥や、他の鳥がつくった巣穴を利用する鳥等を含む概念である。
【００２５】
〔ＩＩ〕実施の形態の具体的内容
次に、実施の形態の具体的内容について説明する。
【００２６】
（構成）
最初に、実施の形態に係る営巣構造物の構成について説明する。図１は、本発明の実施の形態に係る営巣構造物を概念的に示す正面図である。図２は、図１の営巣構造物を後方から見た斜視図である。図３は、支持部、第１巣箱、及び第２巣箱を示す図であり、（ａ）は正面図、（ｂ）は平面図、（ｃ）は右側面図である。なお、図３（ｃ）においては、説明の都合により、後述の擬岩壁１０を想像線で示す。また、以下の説明では、図１のＸ方向を営巣構造物の左右方向（−Ｘ方向を営巣構造物の左方向、＋Ｘ方向を営巣構造物の右方向）、図２のＹ方向を営巣構造物の前後方向（＋Ｙ方向を営巣構造物の前方向、−Ｙ方向を営巣構造物の後方向）、図１のＺ方向を営巣構造物の上下方向（＋Ｚ方向を営巣構造物の上方向、−Ｚ方向を営巣構造物の下方向）と称する。
【００２７】
営巣構造物１は、略中空直方体状に形成されており、具体的には、左右方向の長さが２ｍ〜３ｍ程度、前後方向の長さが１ｍ〜２ｍ程度、上下方向の長さが２ｍ〜３ｍ程度に設定されている。また、この営巣構造物１は、図１、図２に示すように、河川の中州にある設置面２に設置されており、図１から図３に示すように、擬岩壁１０、支持部２０、カバー部３０、第１巣箱４０、及び第２巣箱５０を備えて構成されている。
【００２８】
（構成−擬岩壁）
図１に戻り、擬岩壁１０は、営巣構造物１を構成する壁である。この擬岩壁１０は、公知の擬岩壁を用いて構成され、図１に示すように、営巣構造物１の前方側において、設置面２に対して立設されており、図３（ｃ）に示すように、下地部１１、第１壁体１２、及び第２壁体１３を備えている。
【００２９】
このうち、下地部１１は、第１壁体１２及び第２壁体１３を支持するための部材である。この下地部１１は、例えば公知のモルタル塗布用の下地材（一例として、異形鉄筋付きのラス網等）を用いて構成されており、図３（ｃ）に示すように、支持部２０の前面全体、左側面全体、及び右側面全体を覆うように配置されており、支持部２０に対して固定具等によって固定されている。また、第１壁体１２は、擬岩壁１０の基本構造体であり、図３（ｃ）に示すように、下地部１１の前面全体、左側面全体、及び右側面全体を覆うように設けられており、具体的には、例えば公知のモルタル材料が下地部１１の表面に塗布された後に乾燥されることで設けられている。また、第２壁体１３は、擬岩壁１０の基本構造体であり、図１、図３（ｃ）に示すように、第１壁体１２の前面全体、左側面全体、及び右側面全体を覆うように設けられており、具体的には、例えば公知の着色モルタル材料（一例として、実際の岩の色に近似した着色モルタル材料）が第１壁体１２の表面に塗布された後に乾燥されることで設けられている。なお、この着色モルタル材料は、第２壁体１３の外面が実際の岩に類似した凹凸状になるように塗布されることが望ましい。
【００３０】
また、図１に示すように、この擬岩壁１０には、第１挿通孔１４及び第２挿通孔１５が設けられている。ここで、第１挿通孔１４は、第１巣箱４０を擬岩壁１０に挿通するための貫通孔である。また、第２挿通孔１５は、第２巣箱５０を擬岩壁１０に挿通するための貫通孔である。これら第１挿通孔１４及び第２挿通孔１５の設置方法については任意であるが、実施の形態では、擬岩壁１０の上部から５０ｃｍ以上離れた下方の位置であり、擬岩壁１０の下部から１ｍ以上離れた上方の位置に設置している。具体的には、図１、図３に示すように、第１挿通孔１４を擬岩壁１０における後述の第４支持空間２４と対応する部分に設置し、第２挿通孔１５を擬岩壁１０における後述の第５支持空間２５と対応する部分に設置している。これにより、第１挿通孔１４又は第２挿通孔１５を介して第１巣箱４０又は第２巣箱５０に外敵（一例として、蛇等）が侵入することを回避できる。
【００３１】
（構成−支持部）
支持部２０は、擬岩壁１０を設置面２に対して支持するための支持手段である。この支持部２０は、例えば公知の長尺な支持材２０ａ（一例として、金属製のアングル材等）を用いて構成されており、具体的には、図３に示すように、上記公知の長尺な支持材２０ａを水平方向及び垂直方向に沿って所定間隔を隔てて複数配置することで中空状体になるように構成されている。また、この支持部２０は、擬岩壁１０の背面（図３では、擬岩壁１０の後面）に設けられており、具体的には、設置面２に立設され、設置面２に取り付けられた図示しない基礎部（例えば、アンカーボルト等）に対して固定具又は図示しない転倒防止部材によって固定されている。
【００３２】
また以下では、説明の都合上、支持部２０によって構成される支持空間を６つの領域に区分して説明する。すなわち、この支持空間は、図３に示すように、最下方に位置する第１支持空間２１と、第１支持空間２１よりも上方に位置する第２支持空間２２と、第２支持空間２２よりも上方に位置する第３支持空間２３と、第３支持空間２３よりも上方に位置する第４支持空間２４と、第４支持空間２４よりも上方に位置する第５支持空間２５と、第５支持空間２５よりも上方に位置する第６支持空間２６とに区分される。なお、この支持部２０の構成の詳細については、後述する。
【００３３】
（構成−カバー部）
図２に戻り、カバー部３０は、支持部２０、第１巣箱４０、及び第２巣箱５０の周囲を覆うためのカバー手段である。このカバー部３０は、例えば公知のカバー材（一例として、木製又は金属製のカバー材）を用いて構成され、図２に示すように、支持部２０の後面全体を覆うように設けられ、支持部２０に対して固定具等によって固定されている。
【００３４】
また、図２に示すように、カバー部３０には、カバー側開口部３１及び扉部３２が設けられている。このうち、カバー側開口部３１は、第１巣箱４０又は第２巣箱５０を搬入出するための開口である。このカバー側開口部３１は、縦長の長方形状に形成されており、且つ第２支持空間２２から第４支持空間２４にわたって形成されている。また、扉部３２は、カバー側開口部３１を開閉するためのものであり、例えば公知の扉（一例として、片開き式の扉等）を用いて構成され、カバー部３０に対して図示しないヒンジ部材（例えば、公知の丁番等）を介して回動可能に軸支されている。
【００３５】
（構成−第１巣箱）
図４は、第１巣箱４０を示す図である。第１巣箱４０は、野鳥の営巣のための巣箱である。この第１巣箱４０は、例えば公知の巣箱（一例として、樹脂製の巣箱）等を用いて構成され、図３に示すように、支持部２０に設けられており、具体的には、第４支持空間２４内において、第１巣箱４０（具体的には、後述する通路部４１）が第１挿通孔１４に挿通されるように設けられている。また、図３、図４に示すように、第１巣箱４０は、通路部４１及び産室部４２を備えている。
【００３６】
（構成−第１巣箱−通路部）
通路部４１は、野鳥が第１挿通孔１４と産室部４２とを相互に移動可能にするための部分である。この通路部４１は、上側側部が取り外し自在である長尺な管状体（例えば、７０ｃｍ〜８０ｃｍ程度の管状体であって、断面形状が矩形状である管状体）であり、図３に示すように、第１挿通孔１４と産室部４２との相互間において、後述の図５に示す嵩上げ部４０ａを用いて産室部４２に向かうにつれて所定角度（例えば、２０°程度）で上方に傾斜するように配置されている。ここで、嵩上げ部４０ａは、通路部４１を上方に傾斜させるためのものである。この嵩上げ部４０ａは、後述の図５に示すように、第１巣箱４０の内部において、通路部４１よりも下方に設けられており、嵩上げ部４０ａの上下方向の長さが産室部４２に向かうにつれて長くなるように形成されている。
【００３７】
（構成−第１巣箱−産室部）
図３に戻り、産室部４２は、野鳥が産卵、抱卵、孵化、又は育雛を行うための部分である。この産室部４２は、上側側部が取り外し自在である中空直方体（例えば、幅、奥行き、及び高さが９ｃｍ〜１５ｃｍ程度の中空直方体）に形成され、図３に示すように、通路部４１よりも後方側に設けられている。また、この産室部４２の側部のうち通路部４１側の側部には、通路部４１と連通するための連通開口部（図示省略）が形成されている。
【００３８】
また、この第１巣箱４０の形成方法については任意であるが、実施の形態では、樹脂材を射出成形することにより、通路部４１及び産室部４２を一体に形成している。ただし、これに限らず、例えば、樹脂材を射出成形することにより、通路部４１と産室部４２とを別体に形成し、これら射出成形後に通路部４１及び産室部４２を固定具又は嵌合構造にて固定してもよい。なお、この第１巣箱４０の構成の詳細については、後述する。
【００３９】
（構成−第２巣箱）
図３に戻り、第２巣箱５０は、野鳥の営巣のための巣箱である。この第２巣箱５０は、第１巣箱４０と略同様に構成されており、図３に示すように、第５支持空間２５内において、第２巣箱５０（具体的には、通路部４１）が第２挿通孔１５に挿通されるように設けられ、通路部４１及び産室部４２を備えている。なお、この第２巣箱５０の構成の詳細については、後述する。
【００４０】
以上のような営巣構造物１により、支持部２０及び擬岩壁１０を別体に構成でき、施工時における支持部２０及び擬岩壁１０の取り扱いが容易となる。よって、従来技術（底盤部と一体形成した壁部を河川の崖部に設置する技術）に比べて、営巣構造物１の施工性を向上できる。
【００４１】
（構成−営巣構造）
次に、営巣構造物１の営巣構造について説明する。野鳥に対して営巣しやすい営巣環境を提供するための営巣構造の特徴については、実施の形態では、以下に示す通りとなる。
【００４２】
（構成−営巣構造−第１の特徴）
まず、営巣構造の第１の特徴については、第１巣箱４０及び第２巣箱５０の各々の少なくとも一部が支持部２０に対して着脱自在となるように、第１巣箱４０、第２巣箱５０、及び支持部２０が構成されている。
【００４３】
具体的には、第１巣箱４０の通路部４１及び産室部４２は、第４支持空間２４に対応する支持材２０ａに形成されたネジ孔（図示省略）に対してネジによって固定されていると共に、第２巣箱５０の通路部４１及び産室部４２は、第５支持空間２５に対応する支持材２０ａに形成されたネジ孔（図示省略）に対してネジによって固定されている。ただし、これに限らず、例えば、第１巣箱４０の通路部４１及び産室部４２は、公知のバンド部材（図示省略）によって上記支持材２０ａに対して締結されてもよい。あるいは、上記支持材２０ａに形成された係止部（図示省略）によって係止されてもよい。あるいは、単に上記支持材２０ａに載置されてもよい（なお、第２巣箱５０についても同様とする）。
【００４４】
このような第１特徴により、第１巣箱４０及び第２巣箱５０を容易に交換することができる。よって、定期的に第１巣箱４０及び第２巣箱５０を交換することで、野鳥に対して営巣しやすい営巣環境を繰り返し提供することができ、従来技術に比べて、営巣構造物１の使用性を向上できる。
【００４５】
（構成−営巣構造−第２の特徴）
図５は、図４のＡ−Ａ矢視断面図である。次に、営巣構造の第２の特徴については、図５に示すように、第１巣箱４０及び第２巣箱５０の各々の内部に敷材４３が設けられている。
【００４６】
ここで、敷材４３は、第１巣箱４０及び第２巣箱５０の各々の内面の下方部分を略覆うためのものであり、図５に示すように、第１巣箱４０の内面の下方部分全体を略覆うように配置されている（なお、第２巣箱５０についても同様とする）。また、この敷材４３の材質については任意であるが、野鳥が営巣活動を行いやすく、且つ温度又は湿度の影響によってひび割れや破損等が生じにくい材質で形成することが好ましく、実施の形態では、樹脂モルタル材料にて形成している。ただし、これに限らず、例えば、野鳥の習性や生態に応じた粘性質の土（一例として、陶芸用粘土等）にて形成してもよい。
【００４７】
このような第２の特徴により、自然に近い営巣環境を形成することができ、野鳥に対して営巣しやすい営巣環境を一層提供できる。
【００４８】
（構成−営巣構造−第３の特徴）
図１に戻り、次いで、営巣構造の第３の特徴については、第１挿通孔１４及び第２挿通孔１５の各々から他の挿通孔が見えないように、第１挿通孔１４、第２挿通孔１５、及び擬岩壁１０が構成されている。
【００４９】
具体的には、擬岩壁１０については、図１に示すように、擬岩壁１０の左右方向の中央部及びその近傍部分のうち第２支持空間２２から第６支持空間２６に対応する部分が前方に向けて突出するように（以下では、この部分を「突出部分１０ａ」と称する）、擬岩壁１０が形成されている。この場合において、図３（ｂ）に示すように、支持部２０のうち突出部分１０ａと対応する部分は、前方に向けて突出するように形成される。また、第１挿通孔１４及び第２挿通孔１５については、図１に示すように、第１挿通孔１４が、突出部分１０ａのうち右側部分に配置されていると共に、第２挿通孔１５が、突出部分１０ａのうち左側部分に配置されている。
【００５０】
このような第３の特徴により、挿通孔毎に隔離した営巣環境を形成でき、なわばりをもつ野鳥に対して営巣しやすい営巣環境を提供できる。
【００５１】
（営巣構造物の施工方法）
続いて、実施の形態に係る営巣構造物１の施工方法について説明する。実施の形態に係る営巣構造物１の施工方法は、第１設置工程、第２設置工程、第３設置工程、及び第４設置工程を含んでいる。
【００５２】
（営巣構造物の施工方法−第１設置工程）
まず、第１設置工程について説明する。第１設置工程は、支持部２０を設置面２に設置する工程である。具体的には、まず、工場又は現場において、公知方法により上記公知の長尺な支持材２０ａを組み合わせることにより、支持部２０を形成する。そして、上記形成した支持部２０を、設置面２に対して立設すると共に、設置面２に取り付けられた上記基礎部に対して固定具又は上記転倒防止部材によって固定する。このような設置により、クレーン車等を用いることなく支持部２０を設置でき、営巣構造物１の施工性を向上できる。
【００５３】
（営巣構造物の施工方法−第２設置工程）
次に、第２設置工程について説明する。第２設置工程は、第１設置工程後に、擬岩壁１０を、設置面２に立設すると共に、支持部２０によって当該擬岩壁１０が支持されるように支持部２０の側方に設置する工程である。ここで、擬岩壁１０の設置方法については任意であるが、例えば、以下に示す２つの方法を用いて設置してもよい。すなわち、１つ目の方法については、まず、擬岩壁１０の下地部１１を支持部２０の前面に固定具によって固定する。次に、下地部１１の前面に上記モルタル材料を塗布することで、擬岩壁１０の第１壁体１２を設ける。そして、第１壁体１２の前面に上記着色モルタル材料を塗布することで、擬岩壁１０の第２壁体１３を設けることにより、擬岩壁１０を設置する。また、２つ目の方法については、工場であらかじめ製作された擬岩壁１０の壁パネルであって、擬岩壁１０が複数個に分割された壁パネルを支持部２０の前面に対してそれぞれ取り付けることにより、擬岩壁１０を設置してもよい。このような設置により、クレーン車等を用いることなく擬岩壁１０を設置でき、営巣構造物１の施工性を向上できる。
【００５４】
（営巣構造物の施工方法−第３設置工程）
次いで、第３設置工程について説明する。第３設置工程は、第２設置工程後に、第１巣箱４０及び第２巣箱５０を、支持部２０に対して着脱自在に設置し、且つ当該第１巣箱４０又は第２巣箱５０の一部が擬岩壁１０の第１挿通孔１４又は第２挿通孔１５に挿通されるように設置する工程である。具体的には、工場等で組み立てられた第１巣箱４０を第４支持空間２４に対応する支持材２０ａに形成されたネジ孔に対してネジで固定すると共に、第１巣箱４０の通路部４１を第１挿通孔１４に挿通することにより、第１巣箱４０を設置する。また、工場等で組み立てられた第２巣箱５０を第５支持空間２５に形成されたネジ孔に対してネジで固定すると共に、第２巣箱５０の通路部４１を第２挿通孔１５に挿通することにより、第２巣箱５０を設置する。この場合において、地震等の外力によって擬岩壁１０又は第１巣箱４０が揺れることで、第１挿通孔１４と第１巣箱４０の通路部４１との相互間に隙間が生じる可能性があることから、例えば、第１挿通孔１４と通路部４１との相互間に目地材（例えば、シール材等）が取り付けられてもよい（なお、第２巣箱５０についても同様とする）。あるいは、第１挿通孔１４と通路部４１との相互間に、擬岩壁１０の揺れに追随して揺れる追随部材（例えば、ゴム材等の弾性部材、じゃばら状の部材等）が取り付けられてもよい（なお、第２巣箱５０についても同様とする）。このような目地材又は追随部材により、第１挿通孔１４（又は第２挿通孔１５）と通路部４１との相互間に隙間が生じにくくなることから、野鳥に対して営巣しやすい営巣環境を維持することが可能となる。
【００５５】
（営巣構造物の施工方法−第４設置工程）
続いて、第４設置工程について説明する。第４設置工程は、第３設置工程後に、カバー部３０を支持部２０に設ける工程である。具体的には、カバー部３０を設置面２に対して立設すると共に、支持部２０の後面に対して固定具によって固定している。
【００５６】
このような施工方法により、第１巣箱４０及び第２巣箱５０を容易に交換することができる。よって、定期的に第１巣箱４０及び第２巣箱５０を交換することで、野鳥に対して営巣しやすい営巣環境を繰り返し提供することができ、従来技術に比べて、営巣構造物１の使用性を向上できる。さらに、支持部２０及び擬岩壁１０を別体に構成でき、施工時における支持部２０及び擬岩壁１０の取り扱いが容易となる。よって、従来技術に比べて、営巣構造物１の施工性を向上できる。
【００５７】
（構成−その他の構成）
また、この他にも、実施の形態に係る営巣構造物１は、できる限りにおいて任意の構造にて構成可能である。
【００５８】
具体的には、実施の形態では、第１巣箱４０及び第２巣箱５０の各々が通路部４１、産室部４２、及び敷材４３を備えていると説明したが、これに限らない。図６は、第１巣箱４０の変形例を示す図である。なお、図６では、説明の都合により、後述の断熱材４５を想像線で示す。例えば、図６に示すように、これらの構成要素に加えて、撮像開口部４４又は断熱材４５の少なくともいずれかを備えてもよい。ここで、撮像開口部４４は、第１巣箱４０又は第２巣箱５０の外部に設けられた図示しない撮像手段（例えば公知の撮像カメラ（一例として、ＣＣＤカメラ等））にて当該撮像開口部４４を介して当該第１巣箱４０又は当該第２巣箱５０の内部を撮像可能にするための開口であり、第１巣箱４０及び第２巣箱５０の各々における産室部４２の一部の側部（例えば、産室部４２の上側側部）に形成されてもよい。また、断熱材４５は、第１巣箱４０及び第２巣箱５０の断熱性を向上させるためのものであり、例えば公知の断熱材（一例として、グラスウール等）を用いて構成され、第１巣箱４０及び第２巣箱５０の周囲（具体的には、外周）の少なくとも一部を覆うように設けられている。このような撮像開口部４４により、撮像手段にて撮像開口部４４を介して巣箱の内部を撮像でき、野鳥の営巣状況を詳細に観察することが可能となる。また、このような断熱材４５により、当該断熱材４５によって外部からの熱を遮断でき、当該熱によって第１巣箱４０及び第２巣箱５０の各々の内部温度が変動することを抑制できる。
【００５９】
また、実施の形態では、第１巣箱４０及び第２巣箱５０の各々の内部には、敷材４３が設けられていると説明したが、これに限らない。例えば、敷材４３に加えて（又は敷材４３に代えて）、自然土が第１巣箱４０又は第２巣箱５０の少なくとも一部に充填されてもよい。ここで、「自然土」とは、山林や河川敷等から採取された土であり、例えば、赤土、黒土、真砂土、山砂、川砂、又はこれらを組み合わせたもの等を含む概念である。このような構成により、自然土を掘ることで営巣することが必要となる営巣環境を形成でき、土に巣穴を掘る習性を有する野鳥（例えば、カワセミ等）に対して営巣しやすい営巣環境を提供できる。
【００６０】
また、実施の形態では、カバー部３０が支持部２０の後面に設けられていると説明したが、これに限らず、例えば、支持部２０の後面に加えて、支持部２０の上面に設けられてもよい。また、実施の形態では、カバー部３０には、カバー側開口部３１及び扉部３２が設けられていると説明したが、これに限らない。図７は、営巣構造物１の変形例を示す図であって、図２に対応する領域を示す図である。例えば、図７に示すように、これらの構成要素に加えて、通気孔３３が形成されてもよい。通気孔３３は、当該通気孔３３を介してカバー部３０の内外の通気を可能にするための貫通孔であり、カバー部３０に少なくとも１つ以上（図７では、複数）が配置される。なお、この場合において、通気孔３３の大きさについては任意であるが、例えば外敵が営巣構造物１の内部に侵入することを防止できる程度の大きさに設定することが望ましい。このような通気孔３３により、カバー部３０の内外の通気を行うことができ、例えば夏場において営巣構造物１の内部の温度が上昇することを抑制できる。
【００６１】
また、実施の形態では、第１挿通孔１４及び第２挿通孔１５の各々から他の挿通孔が見えないようにするために、擬岩壁１０の突出部分１０ａの右側部分に第１挿通孔１４が配置され、且つ突出部分１０ａの左側部分に第２挿通孔１５が配置されていると説明したが、これに限らない。図８は、営巣構造物１の変形例を示す図であって、図３（ｂ）に対応する領域を示す図である。例えば、図８に示すように、上記構成に加えて、突出部分１０ａの先端部に仕切り壁１６が設けられてもよい。この仕切り壁１６は、例えば公知の仕切り材（一例として、塗装された金属製又は木製の仕切り材等）にて形成されており、上記先端部の上下方向の全長にわたって設けられる。このような仕切り壁１６によって、挿通孔毎に隔離した営巣環境を一層形成することが可能となる。
【００６２】
（実施の形態の効果）
このように実施の形態によれば、擬岩壁１０の背面に設けられた支持部２０であって、擬岩壁１０を設置面２に対して支持するための支持部２０と、支持部２０に設けられた巣箱であって、当該巣箱の一部が擬岩壁１０に形成された挿通孔に挿通されるように配置された巣箱と、を備え、巣箱の少なくとも一部が支持部２０に対して着脱自在となるように、巣箱及び支持部２０を構成したので、巣箱を容易に交換することができる。よって、定期的に巣箱を交換することで、野鳥に対して営巣しやすい営巣環境を繰り返し提供することができ、従来技術（底盤部と一体形成した壁部を河川の崖部に設置する技術）に比べて、営巣構造物１の使用性を向上できる。また、支持部２０及び擬岩壁１０を別体に構成でき、施工時における支持部２０及び擬岩壁１０の取り扱いが容易となる。よって、従来技術に比べて、営巣構造物１の施工性を向上できる。
【００６３】
また、巣箱の内部に設けられた敷材４３であって、巣箱の内面の下方部分を略覆うように配置された敷材４３を備えたので、自然に近い営巣環境を形成することができ、野鳥に対して営巣しやすい営巣環境を一層提供できる。
【００６４】
また、第１挿通孔１４及び第２挿通孔１５の各々から他の挿通孔が見えないように、第１挿通孔１４及び第２挿通孔１５及び擬岩壁１０を構成したので、挿通孔毎に隔離した営巣環境を形成でき、なわばりをもつ野鳥に対して営巣しやすい営巣環境を提供できる。
【００６５】
また、支持部２０を、設置面２に設置する第１設置工程と、擬岩壁１０を、設置面２に立設すると共に、支持部２０によって当該擬岩壁１０が支持されるように支持部２０の側方に設置する第２設置工程と、巣箱を、支持部２０に対して着脱自在に設置し、且つ当該巣箱の一部が擬岩壁１０に形成された挿通孔に挿通されるように設置する第３設置工程と、を含むので、巣箱を容易に交換することができる。よって、定期的に巣箱を交換することで、野鳥に対して営巣しやすい営巣環境を繰り返し提供することができ、従来技術に比べて、営巣構造物１の使用性を向上できる。また、支持部２０及び擬岩壁１０を別体に構成でき、施工時における支持部２０及び擬岩壁１０の取り扱いが容易となる。よって、従来技術に比べて、営巣構造物１の施工性を向上できる。
【００６６】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００６７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００６９】
（営巣構造物について）
上記実施の形態では、営巣構造物１が、略中空直方体状に形成されていると説明したが、これに限らず、例えば、中空円柱体状、中空三角柱体状の如き他の柱体状、中空円錐体状の如き錐体状にて形成されてもよい。この場合には、営巣構造物１の側面の数に応じて擬岩壁１０、挿通孔、及び巣箱の設置数を設定してもよい。
【００７０】
また、上記実施の形態では、営巣構造物１が、敷材４３及びカバー部３０を備えていると説明したが、これに限らず、例えば、敷材４３又はカバー部３０の少なくともいずれか１つを省略してもよい。
【００７１】
（擬岩壁について）
上記実施の形態では、擬岩壁１０が、支持部２０の前面に設けられていると説明したが、これに限らない。例えば、カバー部３０に代えて、擬岩壁１０が支持部２０の後面にも設けられてもよい。この場合には、例えば、後面側の擬岩壁１０に形成された挿通孔に巣箱の通路部４１が挿通されるように、巣箱が新たに配置されてもよい。
【００７２】
また、上記実施の形態では、擬岩壁１０の第１挿通孔１４及び第２挿通孔１５の各々から他の挿通孔が見えないように、第１挿通孔１４及び第２挿通孔１５が配置されていると説明したが、これに限らない。例えば、第１挿通孔１４及び第２挿通孔１５の各々から他の挿通孔が見えるように、第１挿通孔１４及び第２挿通孔１５が配置されてもよい。一例として、第１挿通孔１４及び第２挿通孔１５が、擬岩壁１０の突出部分１０ａのうち右側部分（又は左側部分）に配置されてもよい。
【００７３】
また、上記実施の形態では、擬岩壁１０が、下地部１１、第１壁体１２、及び第２壁体１３を備えていると説明したが、これに限らない。例えば、これらの構成要素に加えて、第２壁体１３の前面に設けられる植栽基盤部であって、植物を植栽するための植栽基盤部を備えてもよい。これにより、営巣構造物１の緑地化を図ることができ、野鳥に対して営巣しやすい営巣環境を一層提供できると共に、営巣構造物１の外観を向上させることが可能となる。
【００７４】
（巣箱について）
上記実施の形態では、第１巣箱４０の通路部４１及び産室部４２が一体に形成されていると説明したが、これに限らず、例えば、通路部４１及び産室部４２が別体に形成されてもよい（なお、第２巣箱５０についても同様とする）。この場合において、例えば、産室部４２のみが支持部２０に対して着脱自在となるように、第１巣箱４０及び支持部２０が構成されてもよい。
【００７５】
（扉部について）
また、上記実施の形態では、扉部３２が、カバー部３０に設けられていると説明したが、これに限らず、例えば、擬岩壁１０に設けられてもよい。この場合には、擬岩壁１０の一部が扉部として機能するように、公知のヒンジ部材を用いて当該一部が開閉可能に構成されてもよい。
【００７６】
（施工方法について）
上記実施の形態では、第３設置工程が第２設置工程後に行われ、第４設置工程が第３設置工程後に行われると説明したが、これに限らない。例えば、第４設置工程が第２設置工程後に行われ、第３設置工程が第４設置工程後に行われてもよい。
【００７７】
（付記）
付記１の営巣構造物は、設置面に設けられた営巣構造物であり、野鳥が営巣することを可能にするための営巣構造物であって、前記設置面に立設された擬岩壁と、前記擬岩壁の背面に設けられた支持部であって、前記擬岩壁を前記設置面に対して支持するための支持部と、前記支持部に設けられた巣箱であって、当該巣箱の一部が擬岩壁に形成された挿通孔に挿通されるように配置された巣箱と、を備え、前記巣箱の少なくとも一部が前記支持部に対して着脱自在となるように、前記巣箱及び前記支持部を構成した。
【００７８】
付記２の営巣構造物は、付記１に記載の営巣構造物において、前記巣箱の内部に設けられた敷材であって、前記巣箱の内面の下方部分を略覆うように配置された敷材を備えた。
【００７９】
付記３の営巣構造物は、付記１又は２に記載の営巣構造物において、前記擬岩壁に前記挿通孔を複数形成し、前記複数の挿通孔の各々から他の前記挿通孔が見えないように、前記複数の挿通孔及び前記擬岩壁を構成した。
【００８０】
付記４の営巣構造物は、付記１から３のいずれか一項に記載の営巣構造物において、前記巣箱に形成された撮像開口部であって、前記巣箱の外部に設けられた撮像手段にて当該撮像開口部を介して前記巣箱の内部を撮像可能にするための撮像開口部を備えた。
【００８１】
付記５の営巣構造物は、付記１から４のいずれか一項に記載の営巣構造物において、前記巣箱の少なくとも一部に、自然土を充填した。
【００８２】
付記６の営巣構造物は、付記１から５のいずれか一項に記載の営巣構造物において、前記巣箱の周囲を覆うように設けられた断熱材を備えた。
【００８３】
付記７の営巣構造物は、付記１から６のいずれか一項に記載の営巣構造物において、前記支持部及び前記巣箱の周囲を覆うためのカバー部と、前記カバー部に形成された通気孔であって、当該通気孔を介して前記カバー部の内外の通気を可能にする通気孔と、を備えた。
【００８４】
付記８の営巣構造物の施工方法は、支持部を、設置面に設置する第１設置工程と、擬岩壁を、前記設置面に立設すると共に、前記支持部によって当該擬岩壁が支持されるように前記支持部の側方に設置する第２設置工程と、巣箱を、前記支持部に対して着脱自在に設置し、且つ当該巣箱の一部が前記擬岩壁に形成された挿通孔に挿通されるように設置する第３設置工程と、を含む。
【００８５】
（付記の効果）
付記１に記載の営巣構造物によれば、擬岩壁の背面に設けられた支持部であって、擬岩壁を設置面に対して支持するための支持部と、支持部に設けられた巣箱であって、当該巣箱の一部が擬岩壁に形成された挿通孔に挿通されるように配置された巣箱と、を備え、巣箱の少なくとも一部が支持部に対して着脱自在となるように、巣箱及び支持部を構成したので、巣箱を容易に交換することができる。よって、定期的に巣箱を交換することで、野鳥に対して営巣しやすい営巣環境を繰り返し提供することができ、従来技術（底盤部と一体形成した壁部を河川の崖部に設置する技術）に比べて、営巣構造物の使用性を向上できる。また、支持部及び擬岩壁を別体に構成でき、施工時における支持部及び擬岩壁の取り扱いが容易となる。よって、従来技術に比べて、営巣構造物の施工性を向上できる。
【００８６】
付記２に記載の営巣構造物によれば、巣箱の内部に設けられた敷材であって、巣箱の内面の下方部分を略覆うように配置された敷材を備えたので、自然に近い営巣環境を形成することができ、野鳥に対して営巣しやすい営巣環境を一層提供できる。
【００８７】
付記３に記載の営巣構造物によれば、複数の挿通孔の各々から他の挿通孔が見えないように、複数の挿通孔及び擬岩壁を構成したので、挿通孔毎に隔離した営巣環境を形成でき、なわばりをもつ野鳥に対して営巣しやすい営巣環境を提供できる。
【００８８】
付記４に記載の営巣構造物によれば、巣箱に形成された撮像開口部を備えたので、撮像手段にて撮像開口部を介して巣箱の内部を撮像でき、野鳥の営巣状況を詳細に観察することが可能となる。
【００８９】
付記５に記載の営巣構造物によれば、巣箱の少なくとも一部に自然土を充填したので、自然土を掘ることで営巣することが必要となる営巣環境を形成でき、土に巣穴を掘る習性を有する野鳥（例えば、カワセミ等）に対して営巣しやすい営巣環境を提供できる。
【００９０】
付記６に記載の営巣構造物によれば、巣箱の周囲を覆うように設けられた断熱材を備えたので、当該断熱材によって外部からの熱を遮断でき、当該熱によって巣箱の内部温度が変動することを抑制できる。
【００９１】
付記７に記載の営巣構造物によれば、カバー部に形成された通気孔を備えたので、カバー部の内外の通気を行うことができ、例えば夏場において営巣構造物の内部の温度が上昇することを抑制できる。
【００９２】
付記８の営巣構造物の施工方法によれば、支持部を、設置面に設置する第１設置工程と、擬岩壁を、設置面に立設すると共に、支持部によって当該擬岩壁が支持されるように支持部の側方に設置する第２設置工程と、巣箱を、支持部に対して着脱自在に設置し、且つ当該巣箱の一部が擬岩壁に形成された挿通孔に挿通されるように設置する第３設置工程と、を含むので、巣箱を容易に交換することができる。よって、定期的に巣箱を交換することで、野鳥に対して営巣しやすい営巣環境を繰り返し提供することができ、従来技術に比べて、営巣構造物の使用性を向上できる。また、支持部及び擬岩壁を別体に構成でき、施工時における支持部及び擬岩壁の取り扱いが容易となる。よって、従来技術に比べて、営巣構造物の施工性を向上できる。
【符号の説明】
【００９３】
１  営巣構造物
２  設置面
１０  擬岩壁
１０ａ  突出部分
１１  下地部
１２  第１壁体
１３  第２壁体
１４  第１挿通孔
１５  第２挿通孔
１６  仕切り壁
２０  支持部
２０ａ  支持材
２１  第１支持空間
２２  第２支持空間
２３  第３支持空間
２４  第４支持空間
２５  第５支持空間
２６  第６支持空間
３０  カバー部
３１  カバー側開口部
３２  扉部
３３  通気孔
４０  第１巣箱
４０ａ  嵩上げ部
４１  通路部
４２  産室部
４３  敷材
４４  撮像開口部
４５  断熱材
５０  第２巣箱
【図１】
2019180248.tif 000003
【図２】
2019180248.tif 000004
【図３】
2019180248.tif 000005
【図４】
2019180248.tif 000006
【図５】
2019180248.tif 000007
【図６】
2019180248.tif 000008
【図７】
2019180248.tif 000009
【図８】
2019180248.tif 000010